(57)【要約】【課題】乾燥したガム等のシート状の食品等を積み重ね収納し、また、一枚ずつ取り出して使用するためのケースであって、取り扱い易く、また収納したシート状物の取り出しが容易で、しかも合成樹脂の一体成形が可能で安価に製造できる優れたシート状物収納ケースを提案する。【解決手段】皿状のケース本体２に、その上端開口を閉塞して外周に周壁６を嵌合させた伏皿状のカバー３を開閉可能に連結し、内部にシート状物ｓを積み重ね収納する収納室Ａを形成したケースであって、カバー周壁６前部下縁より頂壁７に至る一部を開閉蓋12として開閉可能に画成した。【選択図】図２
2005162221.tif 000002
【特許請求の範囲】
【請求項１】
皿状のケース本体２と、該ケース本体２の周壁５後部下端に周壁６後部下端を回動可能に連結するとともに、ケース本体２の上端開口を閉塞してその外周に周壁６を嵌合させた伏皿状のカバー３とからなり、内部にシート状物ｓを積み重ね収納する収納室Ａを形成するとともに、上記カバー周壁６前部下縁より頂壁７に至る一部を開閉蓋12として開閉可能に画成してなることを特徴とするシート状物収納ケース。
【請求項２】
上記ケース本体２から上記カバー３を開いた状態で且つ上記開閉蓋12を上記カバー３より開いた状態で合成樹脂により一体に形成してなる請求項１記載のシート状物収納ケース。
【請求項３】
上記ケース本体２又は上記カバー３のいずれか一方に乾燥材を収納するための上記収納室Ａと連通した凹部15を形成してなる請求項１又は請求項２のいずれかに記載のシート状物収納ケース。
【発明の詳細な説明】
【技術分野】
【０００１】
本発明はシート状物収納ケースに関し、詳しくは、ガム等のシート状の食品の収納及び取り出しに適したシート状物収納ケースに関する。
【背景技術】
【０００２】
シート状物を収納し、取り出し可能に構成した包装具が提案されている。（例えば、特許文献１参照）。
【０００３】
ここに示されている包装具は、内部にシート材を収納する外装シート上面の一部に、シート材を引き出すための取り出し口を形成し、この取り出し口を被覆する開閉蓋を感圧接着剤を介して外装シート上面の外側面に貼着した携帯用シート材包装具であって、外装シート上面の内側面に当接する第１面と外装シート内に収納されたシート材の最上面に当接する第２面とを、シート材の厚さ方向について所定の間隔を設けて互いに並行に配置し、第２面に外装シートの取り出し口に対向する孔部を形成したスペーサを設けている。
【０００４】
この包装具は液体を含浸又は塗布した湿潤なシート材を収納するためのもので、シート材に含浸或いは塗布された液体が感圧接着材を濡らして接着不良起こす等を防止でき、良好な密閉性を維持できるものである。
【特許文献１】特開2003-312757 号公報
【発明の開示】
【発明が解決しようとする課題】
【０００５】
本発明では上記した如き湿潤なシートではなく、乾燥した例えばガム，海苔等のシート状の食品或いは紙石鹸等を積み重ねて収納し、また、一枚ずつ取り出して使用するためのケースであって、取り扱い易く、また、収納したシート状物の取り出しが行い易く、しかも合成樹脂による一体成形が可能であるため安価に製造できる優れたシート状物収納ケースを提案するものである。
【課題を解決するための手段】
【０００６】
本請求項１発明は、上記課題を解決するため、皿状のケース本体２と、該ケース本体２の周壁５後部下端に周壁６後部下端を回動可能に連結するとともに、ケース本体２の上端開口を閉塞してその外周に周壁６を嵌合させた伏皿状のカバー３とからなり、内部にシート状物ｓを積み重ね収納する収納室Ａを形成するとともに、上記カバー周壁６前部下縁より頂壁７に至る一部を開閉蓋12として開閉可能に画成してなることを特徴とするシート状物収納ケースとして構成した。
【０００７】
本請求項２発明は、上記ケース本体２から上記カバー３を開いた状態で且つ上記開閉蓋12を上記カバー３より開いた状態で合成樹脂により一体に形成してなる請求項１記載のシート状物収納ケースとして構成した。
【０００８】
本請求項３発明は、上記ケース本体２又は上記カバー３のいずれか一方に乾燥材を収納するための上記収納室Ａと連通した凹部15を形成してなる請求項１又は請求項２のいずれかに記載のシート状物収納ケースとして構成した。
【発明の効果】
【０００９】
本発明のシート状物収納ケースは、皿状のケース本体２と、該ケース本体２の周壁５後部下端に周壁６後部下端を回動可能に連結するとともに、ケース本体２の上端開口を閉塞してその外周に周壁６を嵌合させた伏皿状のカバー３とからなり、内部にシート状物ｓを積み重ね収納する収納室Ａを形成するとともに、上記カバー周壁６前部下縁より頂壁７に至る一部を開閉蓋12として開閉可能に画成しているため、収納ケース１を開閉蓋12側に傾けることによって収納したシート状物ｓを開閉蓋12をあけて開口した取出口11より一枚ずつ容易に取り出すことができるものである。
【００１０】
また、上記ケース本体２から上記カバー３を開いた状態で且つ上記開閉蓋12を上記カバー３より開いた状態で合成樹脂により一体に形成してなるものにあっては、安価に製造できるとともに、その組み立て後の各部相互の嵌合精度も充分高いものが得られる。
【００１１】
また、上記ケース本体２又は上記カバー３のいずれか一方に乾燥材を収納するための上記収納室Ａと連通した凹部15を形成してなるものにあっては、収納物の品質を長期の間良好な状態で維持できるものである。
【発明を実施するための最良の形態】
【００１２】
図１は本発明のシート状物収納ケース１の一例を示すもので、該収納ケース１は、ケースケース本体２と、カバー３とを備えている。
【００１３】
上記ケースケース本体２は、底壁４周縁部より周壁５を立設した皿状をなしている。また、底壁４はその前端部に於いてその上面が後方へ下る取出用の誘導面ｆに形成している。この誘導面ｆは一般的な傾斜面の他、弯曲面であっても良い。
【００１４】
カバー３は、周壁６上端縁より頂壁７を延設した伏皿状をなし、ケース本体周壁５の後部下端に周壁６後部下端をヒンジ８を介して連結するとともに、ケース本体上端開口を閉塞してその外周に周壁６を抜け出しを防止して嵌合している。図示例では、ケース本体周壁５両側に突設した係止突条９に、周壁６の両側内面に突設した係合突条10を乗り越え係合させてケース本体２に対する確実な固定と抜け出しの防止を図っている。そして、内部にシート状物ｓを積み重ね収納する収納室Ａを形成している。
【００１５】
また、上記カバーには開閉蓋を画成している。具体的には、カバー３に取出口11を開口し、この取出口11を閉塞して開閉可能に画成した開閉蓋12を設けている。取出口11は、周壁６前部下縁より頂壁７に至る一部に設けたもので、この取出口11の形状は特に限定されるものではないが、少なくともその横幅が収納するシート状物ｓを通過可能な横幅に形成する。従って、周壁６前部下縁より頂壁７に至る部分に取出口11が穿設され、その部分に嵌合する取出口11と同形状の開閉蓋12をヒンジ13を介してカバー頂壁７に連結している。また、開閉蓋12は、頂壁７の取出口11部分に嵌合する頂板部12a と、周壁６の取出口11部分に嵌合する垂板部12b で構成しており、垂板部12b の内面下端縁にはケース本体２の前面下縁に係合する係合突起14を突設している。
【００１６】
上記の如く構成したシート状物収納ケース１は、合成樹脂により一体に形成することができる。例えば、図４に示す如く、ケース本体２とカバー３とを、カバー３を１８０°開いた状態で、且つ、開閉蓋12をカバー３より９０°開いた状態で、それぞれ一体に形成することができる。
【００１７】
上記の如く構成したシート状物収納ケース１を使用する場合に付いて説明する。まず、図１の状態から錘板部12b 下面を指で押し上げて開閉蓋12を開き、次いで、ケース１を取出口11側に傾けて収納したシート状物ｓを取出口11側に移行させる。この際、最上部のシート状物ｓが一番取出口11側に移行しており、簡単に取り出すことができる。次いで、開閉蓋12を閉じることにより元の状態に戻る。
【００１８】
本発明ではまた、上記ケース本体２又は上記カバー３のいずれか一方に乾燥剤を収納するための上記収納室Ａと連通した凹部15を形成しても良い。例えば、図５に示す如く、カバー３の頂壁７を下方に凹ませた凹部15を形成し、該凹部15の底面に収納室Ａ内と連通させる透孔16を穿設する。そして、該凹部15内に乾燥剤を収納し、シール材17等により凹部15外側開口を気密に密閉する。シール材17は合成樹脂シートに接着層を備えた公知のシール材を使用できる。また、図６は上記凹部15をケース本体２に設けた例で、ケース本体２の底壁４を上方へ凹ませて凹部15を形成し、同様に収納室Ａ内と連通させる透孔16を穿設している。この場合も同様にシール材等により外側開口を気密に密閉する。
【図面の簡単な説明】
【００１９】
【図１】本発明シート状物収納ケースの斜視図である。（実施例１）
【図２】本発明シート状物収納ケースの縦断面図である。（実施例１）
【図３】本発明シート状物収納ケースの開蓋状態の斜視図である。（実施例１）
【図４】本発明シート状物収納ケースの成形時の斜視図である。（実施例１）
【図５】本発明シート状物収納ケースの斜視図である。（実施例２）
【図６】本発明シート状物収納ケースの成形時の斜視図である。（実施例３）
【符号の説明】
【００２０】
２…ケース本体，３…カバー，５…ケース本体周壁，６…カバー周壁，７…頂壁，
12…開閉蓋，Ａ…収納室，ｓ…シート状物
【図１】
2005162221.tif 000003
【図２】
2005162221.tif 000004
【図３】
2005162221.tif 000005
【図４】
2005162221.tif 000006
【図５】
2005162221.tif 000007
【図６】
2005162221.tif 000008